(57)【要約】【課題】留め金２とリング３を有し、リング３は、正確な位置を探して、留め金２の固定位置に吸着され、脱着が可能であるウェストバンド用留め金を提供する。【解決手段】上面に窪み２１が形成され、窪み２１の内部には、高さが異なる、第１階段面２２と、第２階段面２３と、が形成され、第１階段面２２より高い第２階段面２３には、第１定位磁石２４と、第２定位磁石２５と、が設けられる留め金２と、その底面には、第１定位磁石２４に吸着される第１磁石３１と、第２定位磁石２５に吸着される第２磁石３２と、が設けられ、反時計方向に旋回して留め金２の窪み２１に固定されるリング３と、を有する。【選択図】図２
0003178075.tif 000002
【実用新案登録請求の範囲】
【請求項１】
上面に窪み（２１）が形成され、前記窪み（２１）の内部には、高さが異なる、第１階段面（２２）と、第２階段面（２３）と、が形成され、前記第１階段面（２２）より高い前記第２階段面（２３）には、第１定位磁石（２４）と、第２定位磁石（２５）と、が設けられた留め金（２）と、
底面には、前記第１定位磁石（２４）に吸着される第１磁石（３１）と、前記第２定位磁石（２５）に吸着される第２磁石（３２）と、が設けられ、所定の方向に旋回して前記留め金（２）の前記窪み（２１）に固定可能であるリング（３）と、を有することを特徴とするウェストバンド用留め金。
【請求項２】
前記第２階段面（２３）には、前記窪み（２１）の中央に位置する第１凹面（２１１）が設けられ、前記第１凹面（２１１）は条状を呈し、条状を呈する前記第１定位磁石（２４）は前記第１凹面（２１１）に埋められ、前記第２階段面（２３）の前記第１凹面（２１１）の周縁に第１窪み（２１２）が設けられ、柱状を呈する前記第２定位磁石（２５）は前記第１窪み（２１２）に埋められることを特徴とする、請求項１に記載のウェストバンド用留め金。
【請求項３】
前記リング（３）の底面には、前記第１凹面（２１１）に対応する第２凹面（３１１）と、前記第１窪み（２１２）に対応する第２窪み（３１２）と、が設けられ、条状を呈する前記第１磁石（３１）は前記第２凹面（３１１）に埋められ、柱状を呈する前記第２磁石（３２）は前記第２窪み（３１２）に埋められることを特徴とする、請求項２に記載のウェストバンド用留め金。
【考案の詳細な説明】
【技術分野】
【０００１】
本考案は、ウェストバンド用留め金に関し、特に、リングは、正確な位置を自動的に探して、留め金の固定位置に吸着され、脱着が可能であるウェストバンド用留め金に関するものである。
【背景技術】
【０００２】
従来のウェストバンド１は、図１に示すように、ベルト１１の一端に留め金１２が固定され、ベルト１１の他端が留め金１２の固定位置を挿通する。このようなウェストバンド１は、ズボンを括ることだけが可能である。このため、ウェストバンドのメーカーは、ベルト１１の材質を変化し、又は留め金１２の固定方式及び形状を変化し、そしてウェストバンド１を多機能化する。そうしても、消費者の購買欲を高めることができなかった。この問題を解決するために、あるメーカーは、留め金１２の上面に模様を印刷することにより、見栄えを良くし、又はメーカーの商標としている。
【０００３】
本願の出願人は、従来のウェストバンド用留め金を改良して、特許文献１の台湾特許Ｉ３２９４９９号を提案した。このようなウェストバンド用留め金は、上面に設けられるリングに磁石が設けられ、前記磁石が固定位置に吸着するが、ウェストバンド用留め金の上面に前記リングが吸着されるときに、前記リングは正確な位置を探すことができない。すなわち、前記リングの上面にある模様がずれやすい。この問題を解決するために、前記リングを取り外して、前記リングの前記模様を正確な方向に置くことが必要である。そうすると、このようなウェストバンド用留め金の利用は極めて不便である。
【先行技術文献】
【特許文献】
【０００４】
【特許文献１】台湾特許Ｉ３２９４９９号公報
【考案の概要】
【考案が解決しようとする課題】
【０００５】
本考案の主な目的は、リングが、正確な位置を自動的に探して、留め金の固定位置に吸着され、脱着が可能であるウェストバンド用留め金を提供することにある。
【課題を解決するための手段】
【０００６】
上記目的を達成するためになされた本発明によるウェストバンド用留め金は、上面に窪み２１が形成され、窪み２１の内部には、高さが異なる、第１階段面２２と、第２階段面２３と、が形成され、第１階段面２２より高い第２階段面２３には、第１定位磁石２４と、第２定位磁石２５と、が設けられた留め金２と、その底面には、第１定位磁石２４に吸着される第１磁石３１と、第２定位磁石２５に吸着される第２磁石３２と、が設けられ、所定の方向に旋回して留め金２の窪み２１に固定可能であるリング３と、を有することを特徴とする。
【０００７】
本考案のウェストバンド用留め金によると、第２階段面２３には、窪み２１の中央に位置する第１凹面２１１が設けられ、第１凹面２１１は条状を呈し、条状を呈する第１定位磁石２４は第１凹面２１１に埋められ、第２階段面２３の第１凹面２１１の周縁に第１窪み２１２が設けられ、柱状を呈する第２定位磁石２５は第１窪み２１２に埋められることが好ましい。
【０００８】
本考案のウェストバンド用留め金によると、リング３の底面には、第１凹面２１１に対応する第２凹面３１１と、第１窪み２１２に対応する第２窪み３１２と、が設けられ、条状を呈する第１磁石３１は第２凹面３１１に埋められ、柱状を呈する第２磁石３２は第２窪み３１２に埋められることが好ましい。
【考案の効果】
【０００９】
本考案のウェストバンド用留め金によれば、次のような効果がある。
（１）留め金とリングとの互いに吸着する面には、磁性が互いに異なり、位置及び形状が同じである、第１定位磁石、第２定位磁石、第１磁石及び第２磁石が設けられ、リングは、自動的にスライド可能であり、正確な方向へ旋回して、留め金の窪みに固定可能である。
【００１０】
（２）留め金の上面にある第１定位磁石と第２定位磁石を異なる磁性にして、リングの底面には、第１定位磁石に吸着される第１磁石と、第２定位磁石に吸着される第２磁石と、が設けられ、これにより、リングの上面にある模様層は正確な位置を迅速に探して固定可能である。
【００１１】
（３）ウェストバンド用留め金の使い勝手が向上でき、ひいては消費者の購買欲を大幅に高めることができる。
【図面の簡単な説明】
【００１２】
【図１】従来のウェストバンドを示す斜視図である。
【図２】本考案の一実施例を示す分解斜視図である。
【図３】図２における留め金とリングの分解斜視図である
【図４】図２の組み合わせ済み状態を示す断面図である。
【図５】図２における留め金のリングの模様層を示す平面図である。
【図６】図２におけるリングを取り外した状態を示す模式図である。
【図７】図２における留め金のリングが正確な位置を探している状態を示す模式図である。
【図８】本考案の実施例１を示す分解斜視図である。
【図９】図８における留め金のリングが正確な位置を探している状態を示す模式図である。
【図１０】本考案の実施例２を示す分解斜視図である。
【図１１】図１０における留め金のリングが正確な位置を探している状態を示す模式図である。
【考案を実施するための形態】
【００１３】
以下、本考案の実施の形態を図面に基づいて説明する。
図２、図３及び図４を参照する。本考案の一実施例のウェストバンド用留め金は、留め金２と、リング３と、を有する。
【００１４】
留め金２は、上面に窪み２１が形成される。窪み２１の内部には、高さが異なる、第１階段面２２と、第２階段面２３と、が形成される。第２階段面２３は第１階段面２２よりも高い。第２階段面２３には、窪み２１の中央に位置する第１凹面２１１が設けられる。本実施例では、第１凹面２１１が条状を呈し、条状を呈し正極である第１定位磁石２４が第１凹面２１１に埋められる。第２階段面２３の第１凹面２１１の周縁に第１窪み２１２が設けられる。本実施例では、第１窪み２１２が柱状を呈する。柱状を呈し負極である第２定位磁石２５は第１窪み２１２に埋められる。
【００１５】
リング３の底面には、第１定位磁石２４に吸着される第１磁石３１と、第２定位磁石２５に吸着される第２磁石３２と、が設けられる。本実施例では、第１磁石３１は、条状を呈し、負極の磁石であり、正極である第１定位磁石２４と互いに吸着し、第２磁石３２は、柱状を呈し、正極の磁石であり、負極である第２定位磁石２５と互いに吸着する。このように、リング３は、正確な方向に旋回して留め金２の窪み２１に固定できる。図５に示すように、リング３の上面に模様層３３を設けてもよい。模様層３３に、模様や文字などを貼り付け、模様や文字などを描くことができる。
【００１６】
留め金２の上面に設けられる窪み２１の内部には、異なる高さを有する、第１階段面２２と、第２階段面２３と、が形成される。窪み２１の固定位置にリングが吸着しているときには、図６に示すように、リング３の底面の半分が第２階段面２３に貼り付けられ、なお、リング３の底面の残りが第１階段面２２に宙に浮いている状態となる。図６における矢印に示すように、ユーザの指によりリング３の第１階段面側２２１を押圧すると、第１階段面側２２１が沈んで、リング３の他側が浮き上がって、このように、窪み２１からリング３を取り出すことができる。着用者がリング３を利用したい場合には、例えばゴルフをやっているときに、ボールの位置を表記するために、ボールの後ろにコインを置くことがあり、そしてスーパーマーケットのカートを利用したいときに、コインを適当な箇所に挿入して、カートを別のカートから分離して利用できる。本考案のリング３は、扁平なものであるため、窪み２１にリング３を入れるときには、リング３の上面にある模様３３がずれやすい。このとき、留め金２の上面に設けられる第１定位磁石２４と第２定位磁石２５とを異なる磁性にし、すなわち、例えば第１定位磁石２４を正極にし、第２定位磁石２５を負極にする。リング３の底面には、第１定位磁石２４に吸着される第１磁石３１と、第２定位磁石２５に吸着される第２磁石３２と、が設けられる。このように、図７に示すように、リング３の上面にある模様層３３は固定位置に迅速に固定できる。また、窪み２１から取り出されるリング３は、一般のコインの代りに上記の場合に利用できる。すなわち、本考案のリング３は、その上面に模様層３３が描かれて全体の見栄えが良くなると共に、コインの代替品として利用することも可能である。
【００１７】
図４及び図７に示す通り、留め金２のより高い第２階段面２３には、正極である第１定位磁石２４と、負極である第２定位磁石２５と、が設けられる。これにより、留め金２の窪み２１にリング３を置いているときに、リング３の底面に設けられる、負極である第１磁石３１と、正極である第２磁石３２とは、それぞれ第１定位磁石２４と第２定位磁石２５とに吸引されて自動的に移動できる。このように、図５に示すように、リング３の上面にある模様層３３は、正確な位置に固定でき、リング３は、誤って配置されても、正確な位置に自動的に戻すことができる。
【００１８】
図８は本考案の実施例１を示す分解斜視図である。図１０は本考案の実施例２を示す分解斜視図である。図８に示すように、留め金２ａの窪み２１ａに、円形を呈し正極である第１定位磁石２４ａと、円形を呈し負極である第２定位磁石２５ａと、を設けてもよい。リング３ａの底面には、負極である第１磁石３１ａと、正極である第２磁石３２ａと、が設けられる。このように、第１磁石３１ａが第１定位磁石２４ａに吸引され、第２磁石３２ａが第２定位磁石２５ａに吸引されるため、リング３ａは、正確な位置に固定でき、誤って配置されても、正確な位置に自動的に戻すことができる。或いは、図１０に示すように、留め金２ｂの窪み２１ｂの中央に、円形を呈し正極である第１定位磁石２４ｂと、円形を呈し負極である第２定位磁石２５ｂと、を設けてもよい。リング３ｂの底面には、負極である第１磁石３１ｂと、正極である第２磁石３２ｂと、が設けられる。このように、第１磁石３１ｂが第１定位磁石２４ｂに吸引され、第２磁石３２ｂが第２定位磁石２５ｂに吸引されるため、リング３ｂは、正確な位置に固定でき、誤って配置されても、正確な位置に自動的に戻すことができる。
【００１９】
尚、本実用新案は、上述の実施形態に限られるものではない。本実用新案の技術的範囲から逸脱しない範囲内で多様に変更実施することが可能である。
【産業上の利用可能性】
【００２０】
本考案は、ウェストバンドに適用することができる。
【符号の説明】
【００２１】
１    ウェストバンド
２，２ａ，２ｂ    留め金
３，３ａ，３ｂ    リング
１１    ベルト
１２    留め金
２１，２１ａ，２１ｂ    窪み
２２    第１階段面
２３    第２階段面
２４，２４ａ，２４ｂ    第１定位磁石
２５，２５ａ，２５ｂ    第２定位磁石
３１，３１ａ，３１ｂ    第１磁石
３２，３２ａ，３２ｂ    第２磁石
３３    模様層
２１１    第１凹面
２１２    第１窪み
２２１    第１階段面側
３１１    第２凹面
３１２    第２窪み
【図１】
0003178075.tif 000003
【図２】
0003178075.tif 000004
【図３】
0003178075.tif 000005
【図４】
0003178075.tif 000006
【図５】
0003178075.tif 000007
【図６】
0003178075.tif 000008
【図７】
0003178075.tif 000009
【図８】
0003178075.tif 000010
【図９】
0003178075.tif 000011
【図１０】
0003178075.tif 000012
【図１１】
0003178075.tif 000013